(57)【要約】      （修正有）【課題】放熱効果を上げ、静電気放電や高圧による損傷を防ぐことのできるランプ構造を提供する。【解決手段】ランプ構造は、透明キャップ１１０と、ランプ筐体１３０と、リング部１２０と、分離パッド１６２と、ランプ板１５０とを備える。ランプ筐体は、その周囲に複数の放熱フィン１３１が環状に配列される。透明キャップに隣接する各放熱フィンの一端は、溝１３１ａを有し、透明キャップが溝の上部を覆う。リング部は、透明キャップに隣接する各放熱フィンの一端に連接する。分離パッドは、溝の底部に配置され、溝の側壁に沿って透明キャップの下の領域に延伸して、分離壁１６４を形成する。ランプ板は、複数のＬＥＤ１５２を有して、透明キャップ１１０と分離パッド１６２の間の収容空間内に配置され、静電気放電による損傷を防止する。【選択図】図２
0003163017.tif 000002
【実用新案登録請求の範囲】
【請求項１】
透明キャップと、
周囲に複数の放熱フィンが環状に配列され、前記透明キャップに隣接する前記放熱フィンの各々の一端に溝を有し、前記透明キャップが前記溝の上部を覆うランプ筐体と、
前記透明キャップに隣接する前記放熱フィンの各々の前記端に連接するリング部と、
前記溝の底部に配置され、前記溝の側壁に沿って前記透明キャップの下の領域に延伸して、分離壁が形成された分離パッドと、
複数のＬＥＤを有して、前記透明キャップと前記分離パッドの間の収容スペース内に配置され、静電気放電による損傷を防止するランプ板と
を備えたランプ構造。
【請求項２】
前記透明キャップから離れた前記ランプ筐体の一端に連接する螺旋部をさらに備え、前記放熱フィンの外径が、前記透明キャップから前記螺旋部へ向かうにつれて減少する請求項１記載のランプ構造。
【請求項３】
前記放熱フィンの各々が、第１曲面と、第２曲面とを有し、前記第１曲面と前記第２曲面の間の接合部に屈曲部が形成され、前記第１曲面が、前記リング部に連接し、前記第２曲面が、前記螺旋部に向かって延伸する請求項２記載のランプ構造。
【請求項４】
前記螺旋部が、外部ネジと、前記ランプ筐体から離れた前記螺旋部の一端に設けられた導体とを有し、前記外部ネジが、前記導体から電気的に絶縁された請求項２記載のランプ構造。
【請求項５】
前記ランプ筐体内に配置されたドライバおよび２つの導線をさらに備え、前記ドライバの一端が、前記２つの導線のうちの１つを介して前記導体に電気接続され、前記ドライバの他端が、前記溝の前記底部および前記分離パッドを通過する前記２つの導線のうちの別の１つを介して前記ランプ板に電気接続された請求項４記載のランプ構造。
【請求項６】
前記分離パッドが、少なくとも１つの貫通孔を有し、前記少なくとも１つの貫通孔を貫通する前記導線のうちの１つが、前記分離パッドから電気的に絶縁された請求項５記載のランプ構造。
【請求項７】
絶縁用接着剤が、前記少なくとも１つの貫通孔の内壁の周りに形成された請求項６記載のランプ構造。
【請求項８】
前記分離パッドおよび前記分離壁が、熱を伝導するが電気を伝導しない絶縁体であり、前記分離パッドおよび前記分離壁の材料が、セラミック、プラスチック、ゴム、およびガラスのうちの１つから選ばれる請求項１記載のランプ構造。
【請求項９】
前記放熱フィンが、放射状に配列され、シート形状を有する請求項１記載のランプ構造。
【請求項１０】
前記分離パッドおよび前記分離壁が、合わせて中空容器を形成する請求項１記載のランプ構造。
【請求項１１】
前記分離パッドおよび前記分離壁が、熱を伝導するが電気を伝導しない絶縁体であり、前記分離パッドおよび前記分離壁の材料が、セラミック、プラスチック、ゴム、およびガラスのうちの１つから選ばれる請求項６記載のランプ構造。
【考案の詳細な説明】
【技術分野】
【０００１】
この考案は、ランプ構造に関し、特に、発光ダイオード（light emitting diode, LED）を有するランプ構造に関する。
【背景技術】
【０００２】
低消費電力で、耐久性およびコンパクト性に優れたＬＥＤは、製造プロセスの発展とともにコストが低下したため、ＬＥＤを光源とする商品がますます普及してきた。
【考案の概要】
【考案が解決しようとする課題】
【０００３】
現在、照明ランプとしてＬＥＤを適用した場合の主な問題は、熱放散である。効率の悪い熱放散は、ランプの温度を上げ、ＬＥＤの寿命を短縮させる。余熱もランプの透明キャップ内の蛍光粉の効率を下げるため、発光色が変化し、色の品質に悪い影響を与える。温度が極端に高くなることによって、ランプの全体の寿命も短縮される。また、ＬＥＤを使用した一般の照明ランプは、静電気放電（electrostatic discharge, ESD）や高圧に弱く、静電気放電や高圧によって照明ランプが損傷することで、ＬＥＤランプの寿命が大幅に短縮する。
【考案の目的】
【０００４】
そこで、この考案の目的は、放熱効果を上げ、静電気放電や高圧による損傷を防ぐことのできるランプ構造を提供することにある。
【課題を解決するための手段】
【０００５】
この考案において、ランプ構造は、透明キャップと、ランプ筐体と、リング部と、分離パッドと、ランプ板とを備える。ランプ筐体は、その周囲に複数の放熱フィンが環状に配列される。透明キャップに隣接する各放熱フィンの一端は、溝を有し、透明キャップが溝の上部を覆う。リング部は、透明キャップに隣接する各放熱フィンの前記端に連接する。分離パッドは、溝の底部に配置され、溝の側壁に沿って透明キャップの下の領域に延伸して、分離壁を形成する。ランプ板は、複数のＬＥＤを有して、透明キャップと分離パッドの間の収容空間内に配置され、静電気放電による損傷を防止する。
【０００６】
この考案のある実施形態において、ランプ構造は、さらに、透明キャップから離れたランプ筐体の一端に連接する螺旋部を備える。放熱フィンの外径は、透明キャップから螺旋部へ向かうにつれて減少する。
【０００７】
この考案のある実施形態において、各放熱フィンは、第１曲面と、第２曲面とを有する。第１曲面と第２曲面の接合部に、屈曲部が形成される。第１曲面は、リング部に連接し、第２曲面は、螺旋部に向かって延伸する。
【０００８】
この考案のある実施形態において、螺旋部は、外部ネジと、ランプ筐体から離れた螺旋部の一端に設けられた導体とを有する。
【０００９】
この考案のある実施形態において、ランプ構造は、さらに、ランプ筐体内に配置されたドライバおよび２つの導線を備える。ドライバの一端は、２つの導線のうちの１つを介して導体に電気接続され、ドライバの他端は、溝の底部および分離パッドを通過する２つの導線のうちの別の１つを介してランプ板に電気接続される。
【００１０】
この考案のある実施形態において、分離パッドは、少なくとも１つの貫通孔を有し、少なくとも１つの貫通孔を貫通する導線の１つは、分離パッドから電気的に絶縁される。
【００１１】
この考案のある実施形態において、少なくとも１つの貫通孔の内壁の周りに、絶縁用接着剤（insulating adhesive）が形成される。
【００１２】
この考案のある実施形態において、分離パッドおよび分離壁は、熱を伝導するが電気を伝導しない絶縁体であり、分離パッドおよび分離壁の材料は、セラミック、プラスチック、ゴム、およびガラスのうちの１つから選ばれる。
【００１３】
この考案のある実施形態において、放熱フィンは、放射状に配列され、シート形状を有する。
【００１４】
この考案のある実施形態において、分離パッドおよび分離壁は、合わせて中空容器を形成する。
【考案の効果】
【００１５】
以上のように、この考案は、ランプ板およびＬＥＤの静電気放電による損傷を防ぐことのできる分離パッドおよび分離壁を使用して、ランプの寿命を引き延ばす。また、分離パッドは、熱を伝導するが電気を伝導しない絶縁層である。これにより、ランプ板およびＬＥＤによって生じた熱がランプ筐体の周囲に設けられた放熱フィンに伝送されるため、ランプの放熱効果を上げることができる。
【００１６】
この考案の上記および他の目的、特徴、および利点をより分かり易くするため、図面と併せた幾つかの実施形態を以下に説明する。
【図面の簡単な説明】
【００１７】
【図１】この考案の実施形態に係るランプ構造の斜視図である。
【図２】図１に示したランプ構造の断面図である。
【考案を実施するための形態】
【００１８】
図１は、この考案の実施形態に係るランプ構造の斜視図である。図２は、図１に示したランプ構造の断面図である。
【００１９】
図１および図２を参照すると、ランプ構造１００は、透明キャップ１１０と、透明キャップ１１０の周辺を取り囲むリング部１２０と、ランプ筐体１３０と、螺旋部１４０とを備える。ランプ板１５０は、複数のＬＥＤ１５２を有して、透明キャップ１１０と分離パッド１６２の間の収容空間内に配置され、静電気放電による損傷を防止する。透明キャップ１１０は、ランプ筐体１３０の上部に配置される。透明キャップ１１０の外表面１１０ａは、リング部１２０の上表面１２０ａと実質的に直線に並ぶが、透明キャップ１１０は、外向きに突き出て、カップ状の透明キャップを形成してもよく、本発明はこれに限定されない。螺旋部１４０は、ランプ筐体１３０の底部に連接する。ランプ筐体１３０は、その周囲に複数の放熱フィン１３１が配列される。透明キャップ１１０に隣接する放熱フィン１３１の端によって形成された外径は、透明キャップ１１０の外径よりも大きく、透明キャップ１１０に隣接する各放熱フィン１３１の端は、リング部１２０に連接する。リング部１２０は、ランプ筐体１３０の上に設置され、透明キャップ１１０の周辺を覆う。リング部１２０の内径は、透明キャップ１１０の外径とほぼ等しく、リング部１２０の外径は、透明キャップ１１０に隣接する放熱フィン１３１の外径とほぼ等しい。つまり、透明キャップ１１０、リング部１２０、ランプ筐体１３０、螺旋部１４０を一つに組み立てて、ランプのケースが形成される。
【００２０】
また、放熱フィン１３１は、シート形状を有し、ランプ筐体１３０の周囲に環状に配列される。溝１３１ａは、それに対応して、透明キャップ１１０の下に設けられ、各放熱フィン１３１の中心部分に設置される。溝１３１ａの大きさは、透明キャップ１１０の大きさよりもわずかに小さい。そのため、透明キャップ１１０は、溝１３１ａの上部を覆い、溝１３１ａの周辺にもたれかかることができる。透明キャップ１１０と溝１３１ａを封止用接着剤（sealing adhesive）（図示せず）で密封することによって、密閉された空間が形成される。分離パッド１６２は、溝１３１ａの底部に配置され、溝１３１ａの側壁に沿って透明キャップ１１０の下の領域に延伸して、分離壁１６４を形成する。図２の断面図に示すように、分離パッド１６２および分離壁１６４は、合わせて中空容器１６０を形成し、分離壁１６４の高さは、ランプ板１５０とＬＥＤ１５２の全体の厚さよりも大きい。そのため、ランプ板１５０およびＬＥＤ１５２が密封された空間に配置された時、分離パッド１６２および分離壁１６４によって、ランプ板１５０の底面および側面とＬＥＤ１５２の底面および側面が保護されるため、ランプ板１５０およびＬＥＤ１５２は、ランプ筐体１３０に蓄積された電荷から電気的に隔離され、静電気放電による損傷を防ぐことができる。さらに、ランプ構造１００は、中空容器１６０の材料の特性、およびランプ板１５０とランプ筐体１３０に延伸して分離パッド１６２を支える螺旋部１４０の延伸部分の間の絶縁距離によって、高圧に耐えることができる。
【００２１】
本実施形態において、分離パッド１６２および分離壁１６４は、熱を伝導するが電気を伝導しない絶縁体であり、分離パッド１６２および分離壁１６４の材料は、セラミック、あるいは他の同等の材料、例えば、プラスチック、ゴムまたはガラスでもよい。分離パッド１６２において、少なくとも１つの貫通孔１６２ａ、例えば、レーザ掘削（laser drilling）を予め形成してもよく、この貫通孔１６２ａを介して、ランプ板１５０の回路の入力端を他の回路装置に接続することができる。
【００２２】
また、各放熱フィン１３１は、第１曲面１３３と、第２曲面１３５とを有し、第１曲面１３３と第２曲面１３５の間の接合部に、屈曲部１３４が形成される。第１曲面１３３は、リング部１２０の外径と同じような弧度になるよう設計されるため、リング部１２０および第１曲面１３０は、同じような傾斜角度を有し、ともに屈曲部１３４に向かって下向きに延伸する。屈曲部１３４の下の第２曲面１３５は、螺旋部１４０と同じような弧度になるよう設計されるため、螺旋部１４０および第２曲面１３５は、同じような傾斜角度を有する。したがって、放熱フィン１３１の外径は、透明キャップ１１０から螺旋部１４０に向かうにつれて減少し、放熱フィン１３１の外径は、２つの部分に分割される。上側部分は、第１曲面１３３によって形成され、下側部分は、第２曲面１３５によって形成される。
【００２３】
隣接する放熱フィン１３１とリング部１２０の間に、複数の放熱貫通孔（図示せず）が配置され、隣接する放熱フィン１３１の溝は、放熱貫通孔と連通する。透明キャップ１１０の周囲で生成された熱い空気は、放熱貫通孔と放熱フィン１３１の間の空気対流によって放散することができる。図１に示すように、透明キャップ１１０に隣接する放熱フィン１３１の外径は、透明キャップ１１０の外径よりも大きく、リング部１２０の外径は、放熱フィン１３１によって形成された外径よりも大きい。その結果、放熱貫通孔を介して、対流によって空気が循環しやすくなるため、放熱効果を上げることができる。
【００２４】
螺旋部１４０は、外部ネジ１４２を有する。ランプが電力コネクタ（図示せず）に接続された時、外部ネジ１４２が電力コネクタの内部ネジにねじ込まれ、電力コネクタに固定される。螺旋部１４０の底部に設けられた導体１４４は、外部ネジ１４２から分離され、外部ネジ１４２に導通しない。そのため、外部ネジ１４２は、導体１４４から電気的に絶縁される。また、ランプ筐体１３０内にドライバ１７０が配置される。ドライバ１７０は、例えば、回路板および制御チップのパッケージである。ドライバ１７０の一端は、導線１７２を介して、螺旋部１４０の底部に設けられた導体１４４と電気接続することができ、ドライバ１７０の他端は、溝１３１ａの底部および分離パッド１６２の貫通孔１６２ａを通る導線１７４を介して、ランプ板１５０に電気接続することができる。貫通孔１６２ａの内壁の周囲に、絶縁用接着剤（図示せず）を形成することができる。絶縁用接着剤は、貫通孔１６２を通る導線１７４から分離パッド１６２を電気的に絶縁することができる中空の接着剤であるため、導線１７４と分離パッド１６２は、導電しない。
【００２５】
以上のように、この考案は、ランプ板およびＬＥＤの静電気放電による損傷を防ぐことのできる分離パッドおよび分離壁を使用して、ランプの寿命を引き延ばす。また、分離パッドは、熱を伝導するが電気を伝導しない絶縁層である。これにより、ランプ板およびＬＥＤによって生じた熱がランプ筐体の周囲に設けられた放熱フィンに伝送されるため、ランプの放熱効果を上げることができる。
【００２６】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その実用新案権保護の範囲は、実用新案登録請求の範囲および、それと均等な領域を基準として定められなければならない。
【符号の説明】
【００２７】
１００  ランプ構造
１１０  透明キャップ
１１０ａ  外表面
１２０  リング部
１２０ａ  上表面
１３０  ランプ筐体
１３１  放熱フィン
１３１ａ  溝
１３３  第１曲面
１３４  屈曲部
１３５  第２曲面
１４０  螺旋部
１４２  外部ネジ
１４４  導体
１５０  ランプ板
１５２  ＬＥＤ
１６０  中空容器
１６２  分離パッド
１６２ａ  貫通孔
１６４  分離壁
１７０  ドライバ
１７２  導線
１７４  導線
【図１】
0003163017.tif 000003
【図２】
0003163017.tif 000004